(57)【要約】【課題】相手との間でやり取りした内容や履歴など通信の痕跡を残さないことで、情報漏洩を未然に防止して、プライバシーの保護を図ることができる携帯電話を提供すること。【解決手段】自動消去メール指定部１０７は、ユーザがメモリに保存したくない相手先からメールを受信した場合に、消去するべきメールの相手先の指定をユーザの入力に基づいて行い、指定相手先のアドレスは、メモリ１０５上に、消去指定相手先情報１０５Ｃとして記憶される。受信メール自動消去モード設定部１０８は、ユーザが予め指定した相手先からメールを受信した場合に、そのメールのメッセージを自動的に消去する処理を行うモードへ状態設定を切り替える。受信メール消去制御部１１０は、受信したメールのメッセージを消去する制御を行う。消去することになる受信メールは、予め、ユーザの入力に基づき自動消去メール指定部１０７によって指定されたものである。【選択図】  図１
2004194058.tif 000002
【特許請求の範囲】
【請求項１】
メッセージを受信する受信手段と、受信したメッセージを保存する受信メッセージ保存手段とを備えた携帯電話であって、
ユーザによって指定された送信元を示す送信元情報を記憶しておく送信元情報記憶手段と、
前記受信手段により受信されたメッセージを表示する表示手段と、
前記表示手段によりメッセージが表示された後に、当該メッセージが前記送信元情報に示される送信元から受信したメッセージである場合には、前記受信メッセージ保存手段に保存された当該メッセージの内容を判読できない状態とする制御手段と、を含む
ことを特徴とする携帯電話。
【請求項２】
前記メッセージは、ヘッダデータと本文データとからなり、
前記携帯電話は、更に、
受信したメッセージのヘッダデータを抽出してメッセージの受信履歴として記憶する受信履歴記憶手段と、
前記受信履歴記憶手段に記憶されたヘッダデータを受信履歴として表示する受信履歴表示手段と、を含み
前記制御手段は、前記受信履歴記憶手段から履歴として記憶されているヘッダデータの内容を判読できない状態とする
ことを特徴とする請求項1に記載の携帯電話。
【請求項３】
前記携帯電話は、更に、
メッセージを送信する送信手段と、
送信したメッセージを保存する送信メッセージ保存手段と、
ユーザによって指定された送信先を示す送信先情報を記憶しておく送信先情報記憶手段と、を含み、
前記制御手段は、送信したメッセージが前記送信元情報に示される送信先へ送信したメッセージである場合には、前記送信メッセージ保存手段に保存された当該メッセージの内容を判読できない状態とする
ことを特徴とする請求項1に記載の携帯電話。
【請求項４】
前記メッセージは、ヘッダデータと本文データとからなり、
前記携帯電話は、更に、
送信したメッセージのヘッダデータを抽出してメッセージの送信履歴として記憶する送信履歴記憶手段と、
前記送信履歴記憶手段に記憶されたヘッダデータを送信履歴として表示する送信履歴表示手段と、を含み
前記制御手段は、前記送信履歴記憶手段から履歴として記憶されているヘッダデータの内容を判読できない状態とする
ことを特徴とする請求項３に記載の携帯電話。
【請求項５】
着呼を行う着信手段と、前記着呼の履歴を記憶する履歴記憶手段と、前記履歴記憶手段に記憶された履歴を表示する履歴表示手段とを備えた携帯電話であって、
ユーザによって指定された発信元を示す発信元情報を記憶しておく発信元情報記憶手段と、
前記発信元情報に示される発信元から着呼をした場合に、前記履歴記憶手段に記憶された当該着呼の履歴を判読できない状態とする制御手段と、を含むことを特徴とする携帯電話。
【請求項６】
所望の相手に発呼を行う発信手段と、前記発呼の履歴を記憶する履歴記憶手段と、前記履歴記憶手段に記憶された履歴を表示する履歴表示手段とを備えた携帯電話であって、
ユーザによって指定された発信先を示す発信先情報を記憶しておく発信先情報記憶手段と、
前記発信先情報に示される発信先に発呼をした場合に、前記履歴記憶手段に記憶された当該発呼の履歴を判読できない状態とする制御手段と、を含むことを特徴とする携帯電話。
【請求項７】
前記携帯電話は、更に、
メッセージの内容又は履歴を判読できない状態とするかしないかの判断をユーザに問うためのユーザインターフェース部と、
ユーザインタフェース部からのユーザの入力に基づいて、メッセージの内容又は履歴を判読できない状態とするかしないかを決定する決定手段と、
前記制御手段は、前記決定手段で、判読できない状態とすると決定したメッセージ又は履歴について当該処理を行うことを特徴とする請求項1乃至６の何れかに記載の携帯電話。
【発明の詳細な説明】
【０００１】
【発明の属する技術分野】
本発明は、携帯電話に関するものであり、特に、プライバシー保護のための情報漏洩を未然に防ぐ技術に関する。
【０００２】
【従来の技術】
従来の携帯電話は、メールの場合、送信した時には送信メッセージと送信履歴が、受信した場合には受信メッセージと受信履歴が残される。特に、履歴保持機能により、ユーザは後からいつメールの送信又は受信が行われたかを一覧表示などによって、時系列に把握することができる。
【０００３】
また、電話の場合、ダイアル発信した場合、発信履歴に履歴が残され、着信の場合にも、着信履歴として残される。
このようなメールや履歴を記憶しておくメモリには限界があり、例えば、履歴であれば、最近の２０件のメール送信、メール受信、ダイアル発信、ダイアル受信の履歴が記憶でき、受信したメールの内容は、２００件まで記憶可能とゆうように有限である。
【０００４】
このようにメモリの容量が有限なものであるので、履歴の場合は２０件が既に保存されていれば、新規に履歴として記録する場合には、メモリの容量を確保するために、過去の最も古い履歴が格納された何れかのメモリ領域に、新たな履歴を記憶するという手法が一般的である。また、メールの内容を記憶する場合には、２００件既に記憶されている状態から、新規に受信したメールを記憶させようとすると、過去の最も古いメールの内容が格納された何れかのメモリ領域に、新たなメールの内容を記憶するという手法が一般的である。
【０００５】
この場合において、メールの内容や履歴を長期に渡って保存することを実現するため、残したいメールの内容や履歴が消去されないように保護することで、メモリから消去されないようにする手法もある。この手法では、保護されてないメールの内容や、履歴それぞれの中で最も古いものが消去される。
【０００６】
【発明が解決しようとする課題】
ところで、通信相手とやり取りした内容や履歴を他人に知られたくない場合もある。このような場合に、やり取りした内容や履歴を他人に知られてしまうと、プライバシー保護が図れない。しかし、上記した履歴やメールの内容の保存機能によると、新たな履歴やメールの内容が格納されるまでの期間は、通信相手との間でやり取りした痕跡が残るという不具合がある。相手を選んでその都度消去することもできるが、消去し忘れるとその痕跡が残ってしまうことになる。
【０００７】
本発明は、上記問題点に鑑みてなされた発明であって、相手との間でやり取りした内容や履歴など通信の痕跡を残さないことで、情報漏洩を未然に防止してプライバシーの保護を図ることができる携帯電話を提供することを目的としている。
【０００８】
【課題を解決するための手段】
上記目的を達成するために、本発明は、メッセージを受信する受信手段と、受信したメッセージを保存する受信メッセージ保存手段とを備えた携帯電話であって、ユーザによって指定された送信元を示す送信元情報を記憶しておく送信元情報記憶手段と、前記受信手段により受信されたメッセージを表示する表示手段と、前記表示手段によりメッセージが表示された後に、当該メッセージが前記送信元情報に示される送信元から受信したメッセージである場合には、前記受信メッセージ保存手段に保存された当該メッセージの内容を判読できない状態とする制御手段と、を含むことを特徴とする。
【０００９】
また、本発明は、着呼を行う着信手段と、前記着呼の履歴を記憶する履歴記憶手段と、前記履歴記憶手段に記憶された履歴を表示する履歴表示手段とを備えた携帯電話であって、ユーザによって指定された発信元を示す発信元情報を記憶しておく発信元情報記憶手段と、前記発信元情報に示される発信元から着呼をした場合に、前記履歴記憶手段に記憶された当該着呼の履歴を判読できない状態とする制御手段と、を含むことを特徴とする。
【００１０】
また、本発明は、所望の相手に発呼を行う発信手段と、前記発呼の履歴を記憶する履歴記憶手段と、前記履歴記憶手段に記憶された履歴を表示する履歴表示手段とを備えた携帯電話であって、ユーザによって指定された発信先を示す発信先情報を記憶しておく発信先情報記憶手段と、前記発信先情報に示される発信先に発呼をした場合に、前記履歴記憶手段に記憶された当該発呼の履歴を判読できない状態とする制御手段と、を含むことを特徴とする。
【００１１】
なお、「判読できない状態とする」とは、スクランブルをかけるなどして加工後に表示されるデータから元のデータの内容を判読できないというように、表示されるデータがあって、そのデータからは元のデータの内容を読み取れないという文字通りの意味の他に、本明細書では、元のデータの内容を消去したり、元のデータへのアクセスを抑止することで、データが表示されないために元のデータの内容を読み取ることができない場合も含む意味で用いる。
【００１２】
【発明の実施の形態】
以下に本発明に係る実施の形態の携帯電話について図面を参照としながら具体的に説明する。
［実施の形態１］
図１は、携帯電話１００の機能ブロック図である。
【００１３】
携帯電話１００は、表示部１０１と、操作キー部１０２と、ＣＰＵ１０３と、送受信部１０４と、メモリ１０５と、受信メール履歴一覧表示制御部１０６と、自動消去メール指定部１０７と、受信メール自動消去モード設定部１０８と、受信メール表示制御部１０９と、受信メール消去制御部１１０とを備える。
表示部１０１は、表示パネルからなり、ＬＣＤパネル、ＰＤＰパネル、ＥＬパネルなどを用いることが可能であり、ＣＰＵ１０３から受け取った信号に基づいて電話番号、電子メールなどの文字及び撮影した画像などを表示する機能を有する。
【００１４】
操作キー部１０２は、本携帯電話１００の電源をＯＮ／ＯＦＦする指示を受け付けるボタン、通話開始（オンフック）及び通話終了の指示（オフフック）を受け付けるボタン、メールの文章作成の際に文字入力を行う文字入力ボタンなどからなり、これらボタンから指示を受け付けたとき、これら指示が受け付けられたことを示す信号をＣＰＵ１０３に出力する。
【００１５】
送受信部１０４は、フィルタ、アンプ等を含む無線信号を送受信する無線回路であり、ＣＰＵ１０３からの指示に従い、音声、画像及び文字等の通信データを無線で送信し、また、外部から到来する当該携帯電話１００への通信データを受信して、ＣＰＵ１０３に出力する。
ＣＰＵ１０３は、キー操作部や送受信部から入力された信号や各種データをメモリに出力したり、各部に制御指示を発する携帯電話の制御の中枢を担う。
【００１６】
メモリ１０５は、データの書換が可能な不揮発性のメモリであって、受信した複数のメールの複数のメッセージ１、メッセージ２・・・メッセージＮ（受信メッセージ）１０５Ａ、履歴１、履歴２・・・履歴Ｍという受信メール毎の履歴情報１０５Ｂを記憶している。
受信メッセージ１０５Ａは、図示しないが、一般に、ヘッダデータと、本文データとからなる。ヘッダデータは、送信元のメールアドレスや送信先のメールアドレスなどを示すフィールドからなる。本文データは、相手が伝えたい内容を表した文章データが含まれる。受信メッセージ１０５Ａは、メモリの容量にもよるが、２００件程度格納され得る。
【００１７】
受信履歴１０５Ｂは、上記ヘッダデータの中から抽出された各メッセージ毎のフィールド及びメールを送信した日時等を示す情報である。この受信履歴は、最新の受信メールのものだけでなく、過去に受信したメールのものをも含めて２０件程度格納され得る。
受信メール履歴一覧表示制御部１０６は、前記受信履歴１０５Ｂを表示部１０２に一覧として表示させる制御を担う。例えば、図３に示すように、送信元、件名、送信日時を表示した受信履歴を表示部１０２に一覧として表示させる。
【００１８】
自動消去メール指定部１０７は、予め行われるユーザの入力に基づき、メールを受信した際に、メールの内容を記憶させない相手先として指定する。この保存したくない相手先を指定した結果（図１では、ＡＢＣ＠ｅｚｗｅｂ.ｎｅ.ｊｐ、ＤＥＦ＠ｅｚｗｅｂ.ｎｅ.ｊｐ・・・ＸＹＺ＠ｅｚｗｅｂ.ｎｅ.ｊｐのメールアドレスを指定）は、メモリ１０５上に、消去するべきメールの相手先を示す消去指定相手先情報１０５Ｃとして記憶される。
【００１９】
受信メール自動消去モード設定部１０８は、受信に先立ってユーザが予め指定した相手先からメールを受信した場合に、そのメールのメッセージを自動的に消去する処理を行うモード（自動消去モード）へ状態設定を切り替える。自動消去モードである場合には、自動消去モードフラグによって、その状態が示される。この消去モードの状態設定は、ユーザにより行う従来の手動の消去であるモードと、前記自動消去モードとで切り替わる。
【００２０】
受信メール表示制御部１０９は、受信メールを表示部に表示させる制御を行う。
受信メール消去制御部１１０は、受信したメールのメッセージを消去する制御を行う。自動削除モードにモード設定されている場合に、消去することになる受信メールは、予め、ユーザの入力に基づき自動消去メール指定部１０７によって指定されたものである。なお、消去とは、メモリに記憶されたデータのビット値を全てゼロに変換することを言う。消去された結果、元のメッセージが格納されていたメモリ領域には、新たに受信したメールのメッセージが格納可能となる。
【００２１】
＜動作＞
図２に、上記携帯電話１００における受信メールのメッセージを消去する動作を示す。
Ｓ１；ユーザの入力操作を受け付けて、消去指定相手先情報を記憶する。
Ｓ２；メールを受信したかどうかをＣＰＵは判断する。
【００２２】
Ｓ３；メールを受信していれば（Ｓ２でＹｅｓ）、自動消去モードであるかどうかをＣＰＵは、受信メール自動消去モード設定部１０８の自動消去モードフラグを参照して判断する。
Ｓ４；自動消去モードであれば（Ｓ３でＹｅｓ）、ＣＰＵは、受信メール表示制御部１０９に指示を出し、図４のように、受信したメールの本文データを表示部に表示させる。
【００２３】
Ｓ５；受信メール消去制御部１１０は、ＣＰＵの指示に基づいて、受信メールの送信元のアドレスが消去指定相手先情報に示されたメールアドレスと一致するかどうかを判断する。
Ｓ６；受信メールの送信元のアドレスが消去指定相手先情報に示されるメールアドレスと一致すれば（Ｓ５でＹｅｓ）、受信メールを消去するか記憶するかの決定をユーザの入力に基づいて行う。これは、記憶を選択するボタンか、消去を選択するボタンが押されたかを検知することで行う。
【００２４】
Ｓ７；消去か記憶か何れかのユーザの選択に基づいて受信メールを消去すると決定した場合（Ｓ６でＮｏ）、メール表示画面から他の画面に遷移したかどうかを、ＣＰＵは検知する。
Ｓ８；メール表示画面から他の画面に遷移したことを、ＣＰＵが検知すると（Ｓ７でＹｅｓ）、受信メール消去制御部１１０にその指示を発して、指定された受信メールのメッセージを消去する。
【００２５】
図示した例では、ＡＢＣ＠ｅｚｗｅｂ.ｎｅ.ｊｐが消去する相手先と指定され、今、その相手先であるバリンからメールを受信しているので、このアドレスから受信したメールのメッセージが消去されることになる（図１でメッセージＸが消去）。消去された結果、元のメッセージが格納されていたメモリ領域には、次に新たに受信することになるメールのメッセージが格納可能となる。このため、新たな受信メールの内容はこのメモリ領域に格納され、例えば、メールの内容を長期に渡って保存することを実現するため、残したいメールの内容が消去されないように保護するという従来手法を適用したときにおいて、ユーザが長期に保存したいメール内容であるにも拘らず保護をし忘れた場合にも、当該メールの内容は消去されことがない。
【００２６】
具体的には、メモリに格納できる受信メール件数を２００件とした場合、現在の受信メールが２００件目であるとすると、２００件目のメールのメッセージは自動的に消去されて、そのメッセージが格納されたメモリ領域には、次に受信するメールのメッセージが格納されることになるので、ユーザが長期に保存したいメール内容であるにも拘らず保護をし忘れた場合にも、当該メールの内容は消去されことがない。
【００２７】
Ｓ９；自動消去モードでなければ（Ｓ３でＮｏ）、従来のようにメールを処理する。例えば、メッセージをメモリにそのまま記憶する。
Ｓ１０；受信メールの送信先のアドレスが消去指定相手先情報に示されるメールアドレスと一致しなければ（Ｓ５でＮｏ）、従来のようにメールを処理する。例えば、メッセージをメモリにそのまま記憶する。
【００２８】
次に、本発明に係る別な実施の形態について説明する。
［実施の形態２］
本実施形態の携帯電話は、上記受信メール消去制御部が、受信メール履歴一覧表示制御部１０６により表示制御される履歴一覧から、指定した相手先からの受信メールの履歴を消去するという機能を有する点が特徴的である。以下、実施形態１の携帯電話との相違点について説明する。
【００２９】
図５は、受信メール履歴一覧表示制御部１０６により表示制御される履歴一覧から、指定した相手先からの受信メールの履歴を消去する動作を示す図である。
Ｓ１１；ユーザの入力操作を受け付けて、消去指定相手先情報を記憶する。
Ｓ１２；メールを受信したかどうかをＣＰＵは判断する。
Ｓ１３；メールを受信していれば（Ｓ１２でＹｅｓ）、ＣＰＵは、受信メール消去制御部１１０に指示を出し、当該受信メール消去制御部１１０は、現在受信したメールのヘッダデータを、受信履歴としてメモリに記憶させる。
【００３０】
Ｓ１４；自動消去モードであるかどうかを、ＣＰＵは、受信メール自動消去モード設定部１０８の自動消去モードフラグを参照して判断する。
Ｓ１５；自動消去モードであれば（Ｓ１４でＹｅｓ）、ＣＰＵは、受信メール消去制御部１１０に指示を出し、受信メールの送信元のアドレスが消去指定相手先情報に示されるメールアドレスと一致するかどうかを受信メール消去制御部１１０に判断させる。
【００３１】
Ｓ１６；受信メールの送信元のアドレスが消去指定相手先情報に示されるメールアドレスと一致すれば（Ｓ１５でＹｅｓ）、受信メール消去制御部１１０は、指定された受信メールに対応した履歴をメモリから消去する。
消去された結果、元の受信履歴が格納されていたメモリ領域には、新たに受信したメールの受信履歴が格納可能となる。このため、次に新たに受信することになるメールの履歴はこのメモリ領域に格納され、例えば、メールの履歴を長期に渡って保存することを実現するため、残したいメールの履歴が消去されないように保護するという従来手法を適用したときにおいて、ユーザが長期に保存したい履歴であるにも拘らず保護をし忘れた場合にも、当該メールの履歴は消去されことがない。
【００３２】
具体的には、メモリに格納できる受信メール履歴件数が２０件とした場合、現在の受信メールの履歴が２０件目であるとすると、２０件目のメールの履歴は自動的に消去されて、その履歴が格納されたメモリ領域には、次に受信することになるメールの履歴が格納されることになるので、ユーザが長期に保存したいメール履歴であるにも拘らず保護をし忘れた場合にも、当該メール履歴は消去されことがない。
【００３３】
Ｓ１７；自動消去モードでなければ（Ｓ１４でＮｏ）、従来のように受信履歴をそのまま記憶する。
この結果、受信したメールの履歴は、メモリ上から消去されているので、表示部１０２に一覧として表示されないことになる。
なお、ステップS１６における受信履歴の消去において、上記したステップS６の手順を組み合わせても良い。つまり、消去か記憶か何れかのユーザの選択に基づいて受信履歴を消去するかしないかを決定し、消去すると決定した履歴について最終的に消去するとして良い。
【００３４】
次に、本発明に係る別な実施の形態について説明する。
［実施の形態３］
本実施形態の携帯電話は、送信メールのメッセージを自動的に消去する機能を備える点に特徴がある。実施形態１とメールを受信するのか送信するのかの相違であり、基本的な考え方は同様であるので、相違点について説明する。
【００３５】
図６は、本実施形態の携帯電話２００の機能ブロック図である。
携帯電話２００は、表示部２０１と、操作キー部２０２に加え、ＣＰＵ２０３と、送受信部２０４と、メモリ２０５と、送信メール履歴一覧表示制御部２０６と、自動消去メール指定部２０７と、送信メール自動消去モード設定部２０８と、送信メール表示制御部２０９と、送信メール消去制御部２１０とを備える。
【００３６】
メモリ２０５は、データの書換が可能な不揮発性のメモリであって、送信したメールのメッセージ（送信メッセージ）２０５Ａ、送信履歴２０５Ｂを記憶している。
送信メッセージ２０５Ａは、ヘッダデータと、本文データとからなる。ヘッダデータは、送信先のメールアドレスや送信元のメールアドレスなどを示すフィールドからなる。本文データは、自身が伝えたい内容を表した文章データが含まれる。送信メッセージ２０５Ａは、メモリの容量にもよるが、２００件程度格納され得る。
【００３７】
送信履歴２０５Ｂは、上記ヘッダデータの中から抽出された各メッセージ毎のフィールド及びメールを送信した日時等を示す情報である。この送信履歴は、最新の送信メールのものだけでなく、過去に送信したメールのものをも含めて２０件程度格納され得る。
送信メール履歴一覧表示制御部２０６は、前記送信履歴２０５Ｂを表示部２０２に一覧として表示させる制御を担う。例えば、図８に示すように、送信先、件名、送信日時を表示した送信履歴を表示部２０２に一覧として表示させる。
【００３８】
自動消去メール指定部２０７は、予め行われるユーザの入力に基づき、メールを送信した際に、メールの内容を記憶させない相手先として指定する。この保存したくない相手先を指定した結果は、メモリ２０５上に、消去するべきメールの相手先を示す消去指定相手先情報２０５Ｃとして記憶される。
送信メール自動消去モード設定部２０８は、送信に先立ってユーザが予め指定した相手先へメールを送信した場合に、そのメールのメッセージを自動的に消去する処理を行うモード（自動消去モード）へ状態設定を切り替える。自動消去モードである場合には、自動消去モードフラグによって、その状態が示される。この消去モードの状態設定は、ユーザにより行う従来の手動の消去であるモードと、前記自動消去モードとで切り替わる。
【００３９】
送信メール表示制御部２０９は、送信メールを表示部に表示させる制御を行う。
送信メール消去制御部２１０は、送信したメールのメッセージを消去する制御を行う。自動削除モードにモードに設定されている場合に、消去することになる送信メールは、予め、ユーザの入力に基づき自動消去メール指定部２０７によって指定されたものである。消去された結果、元のメッセージが格納されていたメモリ領域には、新たに送信したメールのメッセージが格納可能となる。
【００４０】
＜動作＞
図７に、上記携帯電話２００における送信メールのメッセージを残さないようにするための動作を示す。
Ｓ２０；ユーザの入力操作を受け付けて、消去指定相手先情報を記憶する。
Ｓ２１；メールを送信したかどうかをＣＰＵは判断する。
【００４１】
Ｓ２２；メールを送信していれば（Ｓ２１でＹｅｓ）、自動消去モードであるかどうかをＣＰＵは、送信メール自動消去モード設定部２０８の自動消去モードフラグを参照して判断する。
Ｓ２３；自動消去モードであれば（Ｓ２２でＹｅｓ）、ＣＰＵは、送信メール表示制御部２０９に指示を出し、送信したメールの本文データを表示部に表示させる。
【００４２】
Ｓ２４；送信メール消去制御部２１０は、ＣＰＵの指示に基づいて、自動消去メール指定部２０７によって指定された消去指定相手先情報を参酌して、送信メールの送信先のアドレスが消去指定相手先情報に示されるメールアドレスと一致するかどうかを判断する。
Ｓ２５；送信メールの送信先のアドレスが消去指定相手先情報に示されるメールアドレスと一致すれば（Ｓ２４でＹｅｓ）、送信メールを消去するか記憶するかの決定をユーザの入力に基づいて行う。これは、記憶を選択するボタンか、消去を選択するボタンが押されたかを検知することにより行う。
【００４３】
Ｓ２６；消去か記憶か何れかのユーザの選択に基づいて送信メールを消去すると決定した場合（Ｓ２５でＮｏ）、メール表示画面から他の画面に遷移したかどうかを、ＣＰＵは検知する。
Ｓ２７；メール表示画面から他の画面に遷移したことを、ＣＰＵが検知すると（Ｓ２６でＹｅｓ）、送信メール消去制御部２１０にその指示を発して、指定された送信メールのメッセージを消去する。
【００４４】
図示した例では、ＡＢＣ＠ｅｚｗｅｂ.ｎｅ.ｊｐが消去する相手先と指定され、今、その相手先（バリン）にメールを送信しているとすると、このアドレスへ送信したメールのメッセージが消去されることになる（図６でメッセージＸが消去）。消去された結果、元のメッセージが格納されていたメモリ領域には、次に新たに送信することになるメールのメッセージが格納可能となる。このため、新たな送信メールの内容はこのメモリ領域に格納され、例えば、メールの内容を長期に渡って保存することを実現するため、残したいメールの内容が消去されないように保護するという従来手法を適用したときにおいて、ユーザが長期に保存したいメール内容であるにも拘らず保護をし忘れた場合にも、当該メールの内容は消去されことがない。
【００４５】
具体的には、メモリに格納できる送信メール件数を２００件とした場合、現在の送信メールが２００件目であるとすると、２００件目のメールのメッセージは自動的に消去されて、そのメッセージが格納されたメモリ領域には、次に送信するメールのメッセージが格納されることになるので、ユーザが長期に保存したいメール内容であるにも拘らず保護をし忘れた場合にも、当該メールの内容は消去されことがない。
【００４６】
Ｓ２８；自動消去モードでなければ（Ｓ２２でＮｏ）、従来のようにメールを処理する。例えば、メッセージをメモリにそのまま記憶する。
Ｓ２９；送信メールの送信先のアドレスが消去指定相手先情報に示されるメールアドレスと一致しなければ（Ｓ２４でＮｏ）、従来のようにメールを処理する。例えば、メッセージをメモリにそのまま記憶する。
【００４７】
次に、本発明に係る別な実施の形態について説明する。
［実施の形態４］
本実施形態の携帯電話は、上記送信メール消去制御部が、送信メール履歴一覧表示制御部２０６により表示制御される履歴一覧から、指定した相手先への送信メールの履歴を消去するという機能を有する点が特徴的である。以下、実施形態３の携帯電話との相違点について説明する。
【００４８】
図９は、送信メール履歴一覧表示制御部２０６により表示制御される履歴一覧から、指定した相手先へ送信メールの履歴を消去する動作を示す図である。
Ｓ３１；ユーザの入力操作を受け付けて、消去指定相手先情報を記憶する。
Ｓ３２；メールを送信したかどうかをＣＰＵは判断する。
Ｓ３３；メールを送信していれば（Ｓ３２でＹｅｓ）、ＣＰＵは、送信メール消去制御部２１０に指示を出し、当該送信メール消去制御部２１０は、過去に送信したメールのヘッダデータと現在、送信したメールのヘッダデータとを併せて、送信履歴としてメモリに記憶させる。
【００４９】
Ｓ３４；自動消去モードであるかどうかをＣＰＵは、送信メール自動消去モード設定部２０８の自動消去モードフラグを参照して判断する。
Ｓ３５；自動消去モードであれば（Ｓ３４でＹｅｓ）、ＣＰＵは、送信メール消去制御部２１０に指示を出し、自動消去メール指定部２０７によって指定された消去指定相手先情報を参酌して、送信メールの送信先のアドレスが消去指定相手先情報に示されるメールアドレスと一致するかどうかを受信メール消去制御部１１０に判断させる。
【００５０】
Ｓ３６；送信メールの送信先のアドレスが消去指定相手先情報に示されるメールアドレスと一致すれば（Ｓ３５でＹｅｓ）、送信メール消去制御部２１０は、指定された送信メールに対応した履歴をメモリから消去する。
消去された結果、元の送信履歴が格納されていたメモリ領域には、新たに送信したメールの送信履歴が格納可能となる。このため、次に新たに送信することになるメールの履歴はこのメモリ領域に格納され、例えば、メールの履歴を長期に渡って保存することを実現するため、残したいメールの履歴が消去されないように保護するという従来手法を適用したときにおいて、ユーザが長期に保存したい履歴であるにも拘らず保護をし忘れた場合にも、当該メールの履歴は消去されことがない。
【００５１】
具体的には、メモリに格納できる送信メール履歴件数が２０件とした場合、現在の送信メールの履歴が２０件目であるとすると、２０件目のメールの履歴は自動的に消去されて、その履歴が格納されたメモリ領域には、次に送信することになるメールの履歴が格納されることになるので、ユーザが長期に保存したいメール履歴であるにも拘らず保護をし忘れた場合にも、当該メール履歴は消去されことがない。
【００５２】
Ｓ３７；自動消去モードでなければ（Ｓ３４でＮｏ）、従来のように送信履歴をそのまま記憶する。
この結果、送信したメールの履歴は、メモリ上から消去されているので、表示部１０２に一覧として表示されないことになる。
なお、ステップS３６における送信履歴の消去において、上記したステップS６の手順を組み合わせても良い。つまり、消去か記憶か何れかのユーザの選択に基づいて受信履歴を消去するかしないかを決定し、消去すると決定した履歴について最終的に消去するとして良い。
【００５３】
次に、本発明に係る別な実施の形態について説明する。
［実施の形態５］
本実施形態の携帯電話は、着呼に伴う着信履歴を自動的に消去する機能を備える点に特徴がある。実施形態２との相違点について説明する。
図１０は、本実施形態の携帯電話３００の機能ブロック図である。
【００５４】
携帯電話３００は、表示部、操作キー部に加え、ＣＰＵ３０１と、送受信部３０２と、メモリ３０３と、着信履歴一覧表示制御部３０４と、自動消去着信履歴指定部３０５と、着信履歴自動消去モード設定部３０６と、着信履歴消去制御部３０７とを備える。
メモリ３０１は、データの書換が可能な不揮発性のメモリであって、着信した相手の電話番号３０１Ａ及び発呼時間３０１Ｂ等着信履歴を示す履歴情報３０１Ｃを記憶している。
【００５５】
着信履歴一覧表示制御部３０４は、前記履歴情報３０１Ｃを表示部に一覧として表示させる制御を担う。
自動消去着信履歴指定部３０５は、予め行われるユーザの入力に基づき、着信した際に、着信履歴を記憶させない相手先として指定する。この保存したくない相手先を指定した結果（図１０では、電話番号０２３４５６７１、０３３３３３３３・・・を指定）は、メモリ３０３上に、消去するべき相手先を示す消去指定相手先情報３０１Ｄとして記憶される。
【００５６】
着信履歴自動消去モード設定部３０６は、消去モードを、着信に先立ってユーザが予め指定した相手先から着信があった場合に、その着信履歴を自動的に消去する処理を行うモード（自動消去モード）へ状態設定を切り替える。自動消去モードである場合には、自動消去モードフラグによって、その状態が示される。この消去モードの状態設定は、ユーザにより行う従来の手動の消去であるモードと、前記自動消去モードとで切り替わる。
【００５７】
着信履歴消去制御部３０７は、着信履歴を消去する制御を行う。自動削除モードに設定されている場合に、消去することになる着信履歴は、予め、ユーザの入力に基づき自動消去着信履歴指定部３０５によって指定されたものである。消去された結果、元の着信履歴が格納されていたメモリ領域には、新たに着信履歴が格納可能となる。
【００５８】
＜動作＞
図１１は、着信履歴一覧表示制御部３０４により表示制御される履歴一覧から、指定した相手先からの着信履歴を消去する動作を示す図である。
Ｓ４１；ユーザの入力操作を受け付けて、消去指定相手先情報を記憶する。
Ｓ４２；着信があったかどうかをＣＰＵは判断する。
【００５９】
Ｓ４３；着信があれば（Ｓ４２でＹｅｓ）、ＣＰＵは、着信履歴消去制御部３０７に指示を出し、当該着信履歴消去制御部３０７は、過去の着信に併せて現在の着信の履歴をメモリに記憶させる。
Ｓ４４；自動消去モードであるかどうかをＣＰＵは、着信履歴自動消去モード設定部３０６の自動消去モードフラグを参照して判断する。
【００６０】
Ｓ４５；自動消去モードであれば（Ｓ４４でＹｅｓ）、ＣＰＵは、着信履歴消去制御部３０７に指示を出し、自動消去着信履歴指定部３０５によって指定された消去指定相手先情報を参酌して、着信の発呼先の電話番号が消去指定相手先情報に示される電話番号と一致するかどうかを着信履歴消去制御部３０７に判断させる。
【００６１】
Ｓ４６；着信の発呼先の電話番号が、消去指定相手先情報に示される電話番号と一致すれば（Ｓ４５でＹｅｓ）、着信履歴消去制御部３０７は、指定された電話番号に対応した履歴をメモリから消去する。
図示した例では、電話番号０２３４５６７が消去する相手先と指定され、いま、その相手先から着信があったので、この履歴が消去されることになる。
【００６２】
消去された結果、元の着信履歴が格納されていたメモリ領域には、新たな着信履歴が格納可能となる。このため、次の着信履歴はこのメモリ領域に格納され、例えば、着信履歴を長期に渡って保存することを実現するため、残したい履歴が消去されないように保護するという従来手法を適用したときにおいて、ユーザが長期に保存したい履歴であるにも拘らず保護をし忘れた場合にも、当該着信履歴は消去されことがない。
【００６３】
具体的には、メモリに格納できる着信履歴件数が２０件とした場合、現在の着信履歴が２０件目であるとすると、２０件目の着信履歴は自動的に消去されて、その履歴が格納されたメモリ領域には、次の着信履歴が格納されることになるので、ユーザが長期に保存したい着信履歴であるにも拘らず保護をし忘れた場合にも、当該履歴は消去されことがない。
【００６４】
Ｓ４７；自動消去モードでなければ（Ｓ４４でＮｏ）、従来のように着信履歴をそのまま記憶する。
この結果、着信の履歴は、メモリ上から消去されているので、表示部に一覧として表示されないことになる。
なお、ステップS４６における着信履歴の消去において、上記したステップS６の手順を組み合わせても良い。つまり、消去か記憶か何れかのユーザの選択に基づいて着信履歴を消去するかしないかを決定し、消去すると決定した履歴について最終的に消去するとして良い。
【００６５】
次に、本発明に係る別な実施の形態について説明する。
［実施の形態６］
本実施形態の携帯電話は、送信履歴を自動的に消去する機能を備える点に特徴がある。実施形態５と着信か発信かの相違であり、基本的な考え方は同様であるので、相違点について説明する。
【００６６】
図１２は、本実施形態の携帯電話４００の機能ブロック図である。
携帯電話４００は、表示部、操作キー部に加え、ＣＰＵ４０１と、送受信部４０２と、メモリ４０３と、発信履歴一覧表示制御部４０４と、自動消去発信履歴指定部４０５と、発信履歴自動消去モード設定部４０６と、発信履歴消去制御部４０７とを備える。
【００６７】
メモリ４０１は、データの書換が可能な不揮発性のメモリであって、発信した相手の電話番号４０１Ａ及び発信時間４０１Ｂ等発信履歴を示す履歴情報４０１Ｃを記憶している。
発信履歴一覧表示制御部４０４は、前記履歴情報４０１Ｃを表示部に一覧として表示させる制御を担う。
【００６８】
自動消去発信履歴指定部４０５は、予め行われるユーザの入力に基づき、発信した際に、発信履歴を記憶させない相手先として指定する。この保存したくない相手先を指定した結果は、メモリ４０３上に、消去するべき相手先を示す消去指定相手先情報４０１Ｄとして記憶される。
発信履歴自動消去モード設定部４０６は、発信に先立ってユーザが予め指定した相手先への発信があった場合に、消去モードを、その発信履歴を自動的に消去する処理を行うモード（自動消去モード）へ状態設定を切り替える。自動消去モードである場合には、自動消去モードフラグによって、その状態が示される。この消去モードの状態設定は、ユーザにより行う従来の手動の消去であるモードと、前記自動消去モードとで切り替わる。
【００６９】
発信履歴消去制御部４０７は、発信履歴を消去する制御を行う。自動削除モードに設定されている場合に、消去することになる発信履歴は、予め、ユーザの入力に基づき自動消去発信履歴指定部４０５によって指定されたものである。消去された結果、元の発信履歴が格納されていたメモリ領域には、新たに発信履歴が格納可能となる。
【００７０】
＜動作＞
図１３は、発信履歴一覧表示制御部４０４により表示制御される履歴一覧から、指定した相手先への発信履歴を消去する動作を示す図である。
Ｓ５１；ユーザの入力操作を受け付けて、消去指定相手先情報を記憶する。
Ｓ５２；ダイアル発信があったかどうかをＣＰＵは判断する。
【００７１】
Ｓ５３；ダイアル発信があれば（Ｓ５２でＹｅｓ）、ＣＰＵは、発信履歴消去制御部４０７に指示を出し、当該発信履歴消去制御部４０７は、過去の発信に併せて現在の発信の履歴をメモリに記憶させる。
Ｓ５４；自動消去モードであるかどうかをＣＰＵは、発信履歴自動消去モード設定部４０６の自動消去モードフラグを参照して判断する。
【００７２】
Ｓ５５；自動消去モードであれば（Ｓ５４でＹｅｓ）、ＣＰＵは、発信履歴消去制御部４０７に指示を出し、自動消去発信履歴指定部４０５によって指定された消去指定相手先情報を参酌して、発信の着呼先の電話番号が消去指定相手先情報に示される電話番号と一致するかどうかを発信履歴消去制御部４０７に判断させる。
【００７３】
Ｓ５６；発信の着呼先の電話番号が、消去指定相手先情報に示される電話番号と一致すれば（Ｓ５５でＹｅｓ）、発信履歴消去制御部４０７は、指定された電話番号に対応した履歴をメモリから消去する。
消去された結果、元の発信履歴が格納されていたメモリ領域には、新たな発信履歴が格納可能となる。このため、次の発信履歴はこのメモリ領域に格納され、例えば、発信履歴を長期に渡って保存することを実現するため、残したい履歴が消去されないように保護するという従来手法を適用したときにおいて、ユーザが長期に保存したい履歴であるにも拘らず保護をし忘れた場合にも、当該発信履歴は消去されことがない。
【００７４】
具体的には、メモリに格納できる発信履歴件数が２０件とした場合、現在の発信履歴が２０件目であるとすると、２０件目の発信履歴は自動的に消去されて、その履歴が格納されたメモリ領域には、次の発信履歴が格納されることになるので、ユーザが長期に保存したい発信履歴であるにも拘らず保護をし忘れた場合にも、当該履歴は消去されことがない。
【００７５】
Ｓ５７；自動消去モードでなければ（Ｓ５４でＮｏ）、従来のように発信履歴をそのまま記憶する。
この結果、発信履歴は、メモリ上から消去されているので、表示部に一覧として表示されないことになる。
なお、ステップS５６における発信履歴の消去において、上記したステップS６の手順を組み合わせても良い。つまり、消去か記憶か何れかのユーザの選択に基づいて発信履歴を消去するかしないかを決定し、消去すると決定した履歴について最終的に消去するとして良い。
【００７６】
次に、本発明に係る別な実施の形態について説明する。
［実施の形態７］
本実施形態では、電話による通話履歴（発信、着信履歴）、メールの送受信履歴、送受信したメールのメッセージを自動消去する上記した自動消去モードに設定するユーザインターフェースに特徴がある。なお、本実施形態では、上記した全ての実施形態の特徴が組み合わさっており、予め指定した相手との間の携帯電話によるやり取りを示す全ての情報が自動消去される機能を備えている。
【００７７】
上記したメモリには、図１５に示すようなアドレス帳が格納されている。なお、図１５では、一人のアドレスが記録されていることが示されるが、実際には、複数人のアドレスが記録されていることは言うまでもない。
アドレス帳の内容は、表示部に表示されている（この表示画面をアドレス表示画面という）。そして、表示されたアドレス表示画面には、別な機能を呼び出すボタンが表示される。ボタンの一つとして消去１５１で示すボタンを、その属性１５２を［あり］と設定した後、クリックすることで、図１４で示される自動消去モード設定画面１４１が表示部に表示される。
【００７８】
この画面１４１において、各項目を選択することで、選択された項目に対応する自動消去の処理が行われる。
なお、本実施形態においては、一の通信相手のアドレス等を示すアドレス帳の表示画面において自動消去モードを選択させた後、自動消去モードに設定する機能を選択させることで、通信相手毎に送信・受信メール、送信・受信メール履歴、着信・発信履歴などの機能別に自動消去モードを指定する形態としたが、この他にも、自動消去モードに設定する送信・受信メール、送信・受信メール履歴、着信・発信履歴などの機能を選択させた後に、通信相手のアドレス等を示すアドレス帳の表示画面において自動消去モードを選択させるとしても良い。
【００７９】
以上の各実施形態において以下のように変形して実施しても良い。
消去する対象となる相手先の指定は、このメールアドレスや電話番号自体を指定するだけでなく、グループとして指定しても良い。例えば、メールアドレスのドメインで指定しても良いし、電話番号の特定の番号配列（市外局番等）等で指定しても良い。
【００８０】
また、実施形態１及び３において、画面遷移した後に消去するかしないかを画面表示などによりユーザに問い、ユーザが消去を選択した場合に、消去するようにしても良い。
また、メッセージの内容や履歴並びに発信、着信の履歴は、メモリから消去したが、予め指定した相手とのやり取りである場合に、メモリに記憶されたメッセージの内容や履歴並びに発信、着信の履歴にCPUがアクセスできず（記憶領域を特定するメモリ上のアドレスを消す方法や、当該領域へのアクセスを抑止する方法や、当該領域に格納されているデータに他のデータを上書きする方法による）、その結果、表示部にこれらが表示されないようにするとか、メッセージやデータにスクランブルをかけるとか、全く異なるデータに変換するとか表示された内容から元の内容が読み取り不可能なデータに自動的にデータ自体を何人にも判読できない状態とするにすることもできる。
【００８１】
【発明の効果】
以上説明してきたように、本発明の携帯電話は、メッセージを受信する受信手段と、受信したメッセージを保存する受信メッセージ保存手段とを備えた携帯電話であって、ユーザによって指定された送信元を示す送信元情報を記憶しておく送信元情報記憶手段と、前記受信手段により受信されたメッセージを表示する表示手段と、前記表示手段によりメッセージが表示された後に、当該メッセージが前記送信元情報に示される送信元から受信したメッセージである場合には、前記受信メッセージ保存手段に保存された当該メッセージの内容を判読できない状態とする制御手段と、を含むことを特徴とする。
【００８２】
これにより、やり取りした内容を他人に知られたくない相手とメールを行う場合に、そのやり取りの内容は何人に読み取り不可能とする事が可能となる。このため、そのやり取りの内容が他人に知れることがないので、プライバシーの保護を図ることができる。
また、読み取り不可能にされたメッセージはもはや不要であるので、これが格納されたメモリ領域には他のメッセージを格納することができることになり、保存したいメッセージに上書きするなど既に格納されているメッセージに影響を及ぼすことなく、新たなメッセージを格納するためのメモリ領域は確実に確保されるので、特定のメッセージについては長期保存を図ることが可能となる。
【００８３】
ここで、前記メッセージは、ヘッダデータと本文データとからなり、前記携帯電話は、更に、受信したメッセージのヘッダデータを抽出してメッセージの受信履歴として記憶する受信履歴記憶手段と、前記受信履歴記憶手段に記憶されたヘッダデータを受信履歴として表示する受信履歴表示手段と、を含み前記制御手段は、前記受信履歴記憶手段から履歴として記憶されているヘッダデータの内容を判読できない状態とすることを特徴とする。
【００８４】
これにより、やり取りした内容を他人に知られたくない相手とメールを行う場合に、そのやり取りの内容は何人に全て読み取り不可能とする事が可能となる。このため、そのやり取りの履歴を含めた痕跡が全く残らず通信を行ったことが他人に知れることがないので、プライバシーの保護をより強固に図ることができる。
【００８５】
また、読み取り不可能にされた履歴はもはや不要であるので、保存したい履歴に上書きするなど既に格納されている履歴に影響を及ぼすことなく、新たな履歴を格納するためのメモリ領域は確実に確保されるので、特定の履歴については長期保存を図ることが可能となる。
ここで、前記携帯電話は、更に、メッセージを送信する送信手段と、送信したメッセージを保存する送信メッセージ保存手段と、ユーザによって指定された送信先を示す送信先情報を記憶しておく送信先情報記憶手段と、を含み、前記制御手段は、送信したメッセージが前記送信元情報に示される送信先へ送信したメッセージである場合には、前記送信メッセージ保存手段に保存された当該メッセージの内容を判読できない状態とすることを特徴とする。
【００８６】
これにより、特定の相手との間でやり取りした受信メールの内容や履歴のみならず、送信メールの内容も何人に読み取り不可能とする事が可能となる。このため、そのやり取りの内容が他人に知れることがないので、プライバシーの保護をより強固に図ることができる。
また、読み取り不可能にされたメッセージはもはや不要であるので、保存したいメッセージに上書きするなど既に格納されているメッセージに影響を及ぼすことなく、新たなメッセージを格納するためのメモリ領域は確実に確保されるので、特定のメッセージについては長期保存を図ることが可能となる。
【００８７】
ここで、前記メッセージは、ヘッダデータと本文データとからなり、前記携帯電話は、更に、送信したメッセージのヘッダデータを抽出してメッセージの送信履歴として記憶する送信履歴記憶手段と、前記送信履歴記憶手段に記憶されたヘッダデータを送信履歴として表示する送信履歴表示手段と、を含み前記制御手段は、前記送信履歴記憶手段から履歴として記憶されているヘッダデータの内容を判読できない状態とすることを特徴とする。
【００８８】
これにより、やり取りした内容を他人に知られたくない相手とメールを行う場合に、そのやり取りの内容は何人に全て読み取り不可能とする事が可能となる。このため、そのやり取りの履歴を含めた痕跡が全く残らず通信を行ったことが他人に知れることがないので、プライバシーの保護をより強固に図ることができる。
【００８９】
また、読み取り不可能にされた履歴はもはや不要であり、既に格納されている履歴に上書きするなど既に格納されている履歴に影響を及ぼすことなく、新たな履歴を格納するためのメモリ領域は確実に確保されるので、特定の履歴については長期保存を図ることが可能となる。
また、本発明の携帯電話は、着呼を行う着信手段と、前記着呼の履歴を記憶する履歴記憶手段と、前記履歴記憶手段に記憶された履歴を表示する履歴表示手段とを備えた携帯電話であって、ユーザによって指定された発信元を示す発信元情報を記憶しておく発信元情報記憶手段と、前記発信元情報に示される発信元から着呼をした場合に、前記履歴記憶手段に記憶された当該着呼の履歴を判読できない状態とする制御手段と、を含むことを特徴とする。
【００９０】
また、本発明の携帯電話は、所望の相手に発呼を行う発信手段と、前記発呼の履歴を記憶する履歴記憶手段と、前記履歴記憶手段に記憶された履歴を表示する履歴表示手段とを備えた携帯電話であって、ユーザによって指定された発信先を示す発信先情報を記憶しておく発信先情報記憶手段と、前記発信先情報に示される発信先に発呼をした場合に、前記履歴記憶手段に記憶された当該発呼の履歴を判読できない状態とする制御手段と、を含むことを特徴とする。
【００９１】
これにより、やり取りした内容を他人に知られたくない相手との通話を行う場合に、そのやり取りの履歴は何人に読み取り不可能とする事が可能となる。このため、そのやり取りの履歴が他人に知れることがないので、プライバシーの保護を図ることができる。
また、読み取り不可能にされた履歴はもはや不要であり、既に格納されている履歴に上書きするなど既に格納されている履歴に影響を及ぼすことなく、新たな履歴を格納するためのメモリ領域は確実に確保されるので、特定の履歴については長期保存を図ることが可能となる。
【００９２】
ここで、前記携帯電話は、更に、メッセージの内容又は履歴を判読できない状態とするかしないかの判断をユーザに問うためのユーザインターフェース部と、ユーザインタフェース部からのユーザの入力に基づいて、メッセージの内容又は履歴を判読できない状態とするかしないかを決定する決定手段と、前記制御手段は、前記決定手段で、判読できない状態とすると決定したメッセージ又は履歴について当該処理を行うことを特徴とする。
【００９３】
これにより、本当に他人に見られたくないメッセージや履歴のみを選択的に判読不可能な状態とすることができるので、他人に見られても良いメッセージ、履歴や重要なメッセージ、履歴はこのような処理をすることなく残すことができ、後で、受信及び送信したメッセージ及びその履歴、発信した履歴及び着信した履歴を読み返すことも可能となる。
【図面の簡単な説明】
【図１】携帯電話１００の機能ブロック図。
【図２】携帯電話１００における受信メールのメッセージを消去する動作を示す図。
【図３】送信元、件名、送信日時を表示した受信履歴の一覧を示す図。
【図４】受信メールの本文データを表示した図。
【図５】指定した相手先からの受信メールの履歴を消去する動作を示す図。
【図６】携帯電話２００の機能ブロック図。
【図７】携帯電話２００における送信メールのメッセージを消去する動作を示す図。
【図８】送信先、件名、送信日時を表示した送信履歴の一覧を示す図。
【図９】指定した相手先への送信メールの履歴を消去する動作を示す図。
【図１０】携帯電話３００の機能ブロック図。
【図１１】指定した相手先からの着信履歴を消去する動作を示す図。
【図１２】携帯電話４００の機能ブロック図。
【図１３】指定した相手先への発信履歴を消去する動作を示す図。
【図１４】自動消去モード設定画面を示す図。
【図１５】メモリに格納されたアドレス帳を示す図。
【符号の説明】
１０３  ＣＰＵ
１０５  メモリ
１０５Ｃ  消去指定相手先情報
１０６  受信メール履歴一覧表示制御部
１０７  自動消去メール指定部
１０８  受信メール自動消去モード設定部
１０９  受信メール表示制御部
１１０  受信メール消去制御部
２０３  ＣＰＵ
２０５  メモリ
２０５Ｃ  消去指定相手先情報
２０６  送信メール履歴一覧表示制御部
２０７  自動消去メール指定部
２０８  送信メール自動消去モード設定部
２０９  送信メール表示制御部
２１０  送信メール消去制御部
３０１  ＣＰＵ
３０３  メモリ
３０３Ｄ  消去指定相手先情報
３０４  着信履歴一覧表示制御部
３０５  自動消去着信履歴指定部
３０６  着信履歴自動消去モード設定部
３０７  着信履歴消去制御部
４０１  ＣＰＵ
４０３  メモリ
４０３Ｄ  消去指定相手先情報
４０４  発信履歴一覧表示制御部
４０５  自動消去発信履歴指定部
４０６  発信履歴自動消去モード設定部
４０７  発信履歴消去制御部
【図１】
2004194058.tif 000003
【図２】
2004194058.tif 000004
【図３】
2004194058.tif 000005
【図４】
2004194058.tif 000006
【図５】
2004194058.tif 000007
【図６】
2004194058.tif 000008
【図７】
2004194058.tif 000009
【図８】
2004194058.tif 000010
【図９】
2004194058.tif 000011
【図１０】
2004194058.tif 000012
【図１１】
2004194058.tif 000013
【図１２】
2004194058.tif 000014
【図１３】
2004194058.tif 000015
【図１４】
2004194058.tif 000016
【図１５】
2004194058.tif 000017